(57)【要約】【課題】十分な電気的接続を確保でき、かつ低コスト化を実現でき、しかも組み立て作業が容易な電気コネクタを提供する。【解決手段】外部導体を有するケーブルの先端に組み立てられる電気コネクタ１。ケーブル固定部６は、受け側固定部２１と押さえ側固定部２２との間にケーブル７の本体部７ａを固定可能である。受け側固定部２１は、ケーブル受け部２３と、本体部７ａをかしめ固定するかしめ部２４とを有する。かしめ部２４は、押さえ側固定部２２との間にケーブル７の外部導体を挟んだ状態で、押さえ側固定部２２をケーブル受け部２３内の本体部７ａに向けて押さえつけることによって、外部導体に電気的に接続するとともに本体部７ａをかしめ固定可能である。ケーブル受け部２３には、押さえ側固定部２２が当接して位置決めされる支持突起２５が形成されている。【選択図】図２
2010176960.tif 000002
【特許請求の範囲】
【請求項１】
ケーブル本体部の外周に外部導体を有するケーブルの先端に組み立てられる電気コネクタであって、
相手側コネクタに接続される端子と、前記端子が設けられたハウジングと、前記ハウジングの少なくとも一部を覆うハウジングカバーと、前記ケーブルを固定するとともに前記外部導体に電気的に接続するケーブル固定部とを備え、
前記ケーブル固定部が、受け側固定部と押さえ側固定部との間に前記ケーブル本体部を固定可能であり、
前記受け側固定部が、前記ケーブル本体部を受容するケーブル受け部と、前記ケーブル本体部をかしめ固定するかしめ部とを有し、
前記かしめ部は、前記押さえ側固定部との間に前記外部導体を挟んだ状態で、前記押さえ側固定部を前記ケーブル受け部内の前記ケーブル本体部に向けて押さえつけることによって、前記外部導体に電気的に接続するとともに前記ケーブル本体部をかしめ固定可能であり、
前記ケーブル受け部には、前記押さえ側固定部が前記ケーブル本体部を固定した状態で当接することにより位置決めされる支持突起が形成されていることを特徴とする電気コネクタ。
【請求項２】
前記かしめ部は、前記ケーブル受け部の周方向一端側に形成された複数の一端側かしめ片と、前記ケーブル受け部の周方向他端側に形成された他端側かしめ片とを有し、
前記他端側かしめ片は、前記ケーブル本体部を固定した状態で前記一端側かしめ片の間に配置されることを特徴とする請求項１に記載の電気コネクタ。
【請求項３】
前記支持突起は、前記ケーブル受け部を構成する板材の一部を内方に切り曲げすることで形成されていることを特徴とする請求項１または２に記載の電気コネクタ。
【請求項４】
前記押さえ側固定部は、前記ケーブル外面形状に即した断面略円弧状に形成されていることを特徴とする請求項１〜３のうちいずれか１項に記載の電気コネクタ。
【請求項５】
前記押さえ側固定部の外面および前記かしめ部の内面には、凹凸が形成されていることを特徴とする請求項１〜４のうちいずれか１項に記載の電気コネクタ。
【請求項６】
前記押さえ側固定部には、前記外部導体を外方に付勢する弾性変形可能な押圧片が形成されていることを特徴とする請求項１〜５のうちいずれか１項に記載の電気コネクタ。
【発明の詳細な説明】
【技術分野】
【０００１】
本発明は、携帯電話、パーソナル・コンピュータ、プリンタ等に使用できる電気コネクタに関する。
【背景技術】
【０００２】
図９〜図１２は、従来の電気コネクタの一例を示すもので、ここに示す電気コネクタ７１は、ケーブル７７の先端に組み立てられるものであって、相手側コネクタに接続される端子７２と、端子７２が設けられたハウジング７３と、ハウジング７３を覆うハウジングカバー７４と、相手側コネクタに係止するラッチ部材７５と、ケーブル７７を固定するケーブル固定部７６とを備えている。
図９〜図１１に示すように、ケーブル固定部７６は、ケーブル７７の外部導体１３（図１２参照）に電気的に接続される接続片７８と、接続片７８とともにケーブル７７をかしめ固定するかしめ部７９とを備えている。
ハウジングカバー７４は金属板などで構成され、第１カバー部材８１と第２カバー部材８２を備えている。接続片７８は第１カバー部材８１と一体に形成され、かしめ部７９は第２カバー部材８２と一体に形成されている。
ケーブル固定部７６は、被覆を除去したケーブル７７先端部を固定するとともに、外部導体１３とハウジングカバー７４との電気的接続を実現している（特許文献１を参照）。
【０００３】
図１３は、従来の電気コネクタの他の例におけるケーブルの固定構造を示すもので、この固定構造９１では、各ケーブル８７の外部導体１３がスリーブ９２の外面とクリンプアーム９３との間でかしめ固定される。
図１４は、ケーブルの例を示すもので、ケーブル８７は、内部導体１１の外周に絶縁体１２を介して外部導体１３が設けられ、その外周に被覆１４が形成されている（特許文献２を参照）。
【先行技術文献】
【特許文献】
【０００４】
【特許文献１】特開２００７−１７２９４１号公報
【特許文献２】特許第３０１５９３８号公報
【発明の概要】
【発明が解決しようとする課題】
【０００５】
しかしながら、図９〜図１２に示す電気コネクタ７１では、ケーブル固定部７６の外部導体１３に対する接触圧が不足し、電気的接続を確保するためには半田付け８０（図１２参照）が必要となる場合があった。このため、組み立て作業性およびコスト面で問題があった。
また、図１３に示す固定構造９１を備えた電気コネクタでは、半田付けを行わずに十分な電気的接続を確保できるが、スリーブ９２をケーブル８７に装着することが必要となるため組み立て作業性およびコスト面で不利となっていた。
本発明は前記事情に鑑みてなされたもので、十分な電気的接続を確保でき、かつ低コスト化を実現でき、しかも組み立て作業が容易な電気コネクタを提供することを目的とする。
【課題を解決するための手段】
【０００６】
本発明の請求項１にかかる発明は、ケーブル本体部の外周に外部導体を有するケーブルの先端に組み立てられる電気コネクタであって、相手側コネクタに接続される端子と、前記端子が設けられたハウジングと、前記ハウジングの少なくとも一部を覆うハウジングカバーと、前記ケーブルを固定するとともに前記外部導体に電気的に接続するケーブル固定部とを備え、前記ケーブル固定部が、受け側固定部と押さえ側固定部との間に前記ケーブル本体部を固定可能であり、前記受け側固定部が、前記ケーブル本体部を受容するケーブル受け部と、前記ケーブル本体部をかしめ固定するかしめ部とを有し、前記かしめ部が、前記押さえ側固定部との間に前記外部導体を挟んだ状態で、前記押さえ側固定部を前記ケーブル受け部内の前記ケーブル本体部に向けて押さえつけることによって、前記外部導体に電気的に接続するとともに前記ケーブル本体部をかしめ固定可能であり、前記ケーブル受け部には、前記押さえ側固定部が前記ケーブル本体部を固定した状態で当接することにより位置決めされる支持突起が形成されている電気コネクタである。
本発明の請求項２にかかる発明は、請求項１において、前記かしめ部が、前記ケーブル受け部の周方向一端側に形成された複数の一端側かしめ片と、前記ケーブル受け部の周方向他端側に形成された他端側かしめ片とを有し、前記他端側かしめ片が、前記ケーブル本体部を固定した状態で前記一端側かしめ片の間に配置される電気コネクタである。
本発明の請求項３にかかる発明は、請求項１または２において、前記支持突起が、前記ケーブル受け部を構成する板材の一部を内方に切り曲げすることで形成されている電気コネクタである。
本発明の請求項４にかかる発明は、請求項１〜３のうちいずれか１項において、前記押さえ側固定部が、前記ケーブル外面形状に即した断面略円弧状に形成されている電気コネクタである。
本発明の請求項５にかかる発明は、請求項１〜４のうちいずれか１項において、前記押さえ側固定部の外面および前記かしめ部の内面に、凹凸が形成されている電気コネクタである。
本発明の請求項６にかかる発明は、請求項１〜５のうちいずれか１項において、前記押さえ側固定部に、前記外部導体を外方に付勢する弾性変形可能な押圧片が形成されている電気コネクタである。
【発明の効果】
【０００７】
本発明の電気コネクタは、かしめ部が、外部導体を挟んで押さえ側固定部を押さえつけることができ、ケーブル受け部に押さえ側固定部を位置決めする支持突起が形成されているので、かしめ部による押圧力が外部導体に確実に作用することから、接触圧が損なわれず、十分な電気的接続が得られる。
ケーブル固定部により十分な電気的接続が確保できるため半田付けは不要であり、別部品も必要もないため、組み立て作業が容易であり、しかも低コスト化を図ることができる。
【図面の簡単な説明】
【０００８】
【図１】本発明の電気コネクタの一実施形態を示す斜視図である。
【図２】図１に示す電気コネクタにおいて、ケーブルを固定していない状態のケーブル固定部を示す斜視図である。
【図３】図１に示す電気コネクタにおいて、ケーブルを固定した状態のケーブル固定部を示す斜視図である。
【図４】図１に示す電気コネクタにおいて、ケーブルを固定していない状態のケーブル固定部を示す後面図である。
【図５】図１に示す電気コネクタにおいて、ケーブルを固定した状態のケーブル固定部を示す後面図である。
【図６】図１に示す電気コネクタにおいて、ケーブル固定部のかしめ部の内面を示す展開図である。
【図７】図１に示す電気コネクタにおいて、ケーブル固定部の押さえ側固定部の外面を示す展開図である。
【図８】ケーブル固定部の変形例を示す後面図である。
【図９】従来の電気コネクタの一例を示す斜視図である。
【図１０】図９に示す電気コネクタの要部を示す斜視図である。
【図１１】図９に示す電気コネクタの要部を示す斜視図である。
【図１２】図９に示す電気コネクタの要部を示す後面図である。
【図１３】従来の電気コネクタの他の例のケーブル固定構造を示す斜視図である。
【図１４】ケーブルの一例を示す斜視図である。
【図１５】本発明の電気コネクタを適用可能なケーブルの一例を示す断面図である。
【図１６】本発明の電気コネクタを適用可能なケーブルの他の例を示す断面図である。
【図１７】本発明の電気コネクタを適用可能なケーブルの他の例を示す断面図である。
【図１８】本発明の電気コネクタを適用可能なケーブルの他の例を示す断面図である。
【発明を実施するための形態】
【０００９】
図１は、本発明の電気コネクタの一実施形態である電気コネクタ１を示す斜視図である。図２は、ケーブル７を固定していない状態のケーブル固定部６を示す斜視図である。図３は、ケーブル７を固定した状態のケーブル固定部６を示す斜視図である。図４は、ケーブル７を固定していない状態のケーブル固定部６を示す後面図である。図５は、ケーブル７を固定した状態のケーブル固定部６を示す後面図である。図６は、ケーブル固定部６のかしめ部２４の内面２４ａを示す展開図である。図７は、ケーブル固定部６の押さえ側固定部２２の外面２２ｂを示す展開図である。
【００１０】
図１５〜図１８は、本発明を適用可能なケーブル７の具体例を示すもので、図１５に示すケーブル７Ａは、内部導体１１の外周に樹脂などからなる絶縁体１２が設けられた内部ユニット１５を複数本集合し、この集合体の外周に外部導体１３を設け、その外周に被覆１４を形成したものである。
図１６に示すケーブル７Ｂは、内部ユニット１５の外周に外部導体１３を設け、その外周に被覆１４を形成したものである。
図１７に示すケーブル７Ｃは、内部導体１１の外周に絶縁体１２を介して中間導体１６を設けたユニット体１７を複数本集合し、この集合体の外周に外部導体１３を設け、その外周に被覆１４を形成したものである。
図１８に示すケーブル７Ｄは、上記内部ユニット１５を複数本集合した集合体の外周に中間導体１６を設けてユニット体１８とし、このユニット体１８を複数本集合し、この集合体の外周に外部導体１３を設け、その外周に被覆１４を形成したものである。
外部導体１３は、銅線などからなる編組であってよい。
【００１１】
以下の説明において、相手側コネクタに対する接続方向である、端子支持部３２（図１参照）の突出方向を前方といい、その反対方向を後方ということがある。上面および下面とは図１における上面および下面をいう。
図１に示すように、電気コネクタ１は、ケーブル７の先端に組み立てられるものであって、相手側コネクタ（図示略）に接続される端子２と、端子２が設けられたハウジング３と、ハウジング３の少なくとも一部を覆うハウジングカバー４と、相手側コネクタに係止するラッチ部材５と、ケーブル７の本体部７ａ（ケーブル本体部）を固定するとともに外部導体１３に電気的に接続するケーブル固定部６とを備えている。
ケーブル７の本体部７ａとは、被覆１４と外部導体１３を取り除いた部分であり、図１５に示すケーブル７Ａにおいては内部ユニット１５の集合体であり、図１６に示すケーブル７Ｂにおいては内部ユニット１５であり、図１７に示すケーブル７Ｃにおいてはユニット体１７の集合体であり、図１８に示すケーブル７Ｄにおいてはユニット体１８の集合体である。
【００１２】
端子２は、相手側コネクタに対して電気的に接続するものであって、相手側コネクタの端子（図示略）と接触可能である。
ハウジング３は、ハウジング本体３１と、ハウジング本体３１から突出する端子支持部３２とを有する。
端子支持部３２の上面（一方の面）には、端子２が配置される複数の端子用溝部３３が形成されている。
【００１３】
ハウジングカバー４は、第１カバー部材４１と第２カバー部材４２とを備えている。
第２カバー部材４２は、金属板などからなり、ハウジング本体３１の下面側（他方面側）を覆うように形成されている。
第１カバー部材４１は、金属板などからなり、ハウジング本体３１の上面側（一方面側）を覆うカバー部材本体４３と、端子支持部３２を収容する筒状部４４とを備えている。筒状部４４の上面（一方の面）側にはラッチ部材５が通過する通過口４５が形成されている。
なお、カバー部材本体は、ハウジング本体の全面を覆うように形成してもよい。
【００１４】
図２および図３に示すように、ケーブル固定部６は、受け側固定部２１と押さえ側固定部２２とを有し、これらの間にケーブル７の本体部７ａを固定可能に構成されている。
押さえ側固定部２２は、ステンレス鋼や銅合金などの金属板などからなり、ケーブル７の本体部７ａの外面形状に即した断面円弧状に形成するのが好ましい。
押さえ側固定部２２は本体部７ａの外面形状に即した形状とすることにより本体部７ａを確実に位置決めできる。なお、押さえ側固定部２２の形状は、特に限定されず、図示例に限らず、平板状やＶ字状等としてもよい。
押さえ側固定部２２は、連結部４６を介して第１カバー部材４１に連結して形成することができる。押さえ側固定部２２および連結部４６は、第１カバー部材４１と一体に形成することができる。
【００１５】
受け側固定部２１は、ステンレス鋼や銅合金などの金属板などからなり、ケーブル７の本体部７ａを受容するケーブル受け部２３と、本体部７ａをかしめ固定するかしめ部２４とを有する。
ケーブル受け部２３は、本体部７ａの外面形状に即した断面円弧状とするのが好ましい。
ケーブル受け部２３の内面には、押さえ側固定部２２が当接することにより位置決めされる支持突起２５が形成されている。図示例では、支持突起２５は、押さえ側固定部２２の両端部２２ａが当接する位置に形成されている。
【００１６】
支持突起２５は、ケーブル受け部２３を構成する金属板の一部を切り曲げすることにより形成すれば、支持突起２５に高い強度を与えることができ、しかも容易に形成することができる。
ケーブル受け部２３は、第２カバー部材４２の後端部に、第２カバー部材４２と一体に形成することができる。
【００１７】
かしめ部２４は、ケーブル７の本体部７ａをかしめ固定するものであって、ケーブル受け部２３の周方向一端側に形成された２つの一端側かしめ片２６と、ケーブル受け部２３の周方向他端側に形成された他端側かしめ片２７とを有する。
【００１８】
２つの一端側かしめ片２６は、ケーブル７の長手方向に間隔をおいて形成され、本体部７ａを固定した状態で（図３参照）周方向に延出するように形成されている。
他端側かしめ片２７は、本体部７ａを固定した状態で周方向に延出するように形成されている。
他端側かしめ片２７は、２つの一端側かしめ片２６の間に配置されるように形成すると、本体部７ａを強固に固定することができる。
なお、一端側かしめ片２６の数は２つに限らず、１または３以上であってもよい。他端側かしめ片２７の数も特に限定はなく、２以上であってもよい。
【００１９】
図２および図４に示すように、かしめ部２４のかしめ片２６、２７は、未変形状態では押さえ側固定部２２から離間して形成されているが、図３および図５に示すように、押さえ側固定部２２の外周面に沿って曲げ、押さえ側固定部２２をケーブル受け部２３内の本体部７ａに向けて押さえつけることによって、本体部７ａをかしめ固定することができる。
図５に示すように、このかしめ固定の過程では、かしめ片２６、２７によって押さえ側固定部２２が下方（矢印方向）に移動し、両端部２２ａが支持突起２５に当接して位置決めされた段階で本体部７ａが強固に固定され、この状態で、支持突起２５により押さえ側固定部２２のそれ以上の下方移動が規制される。
【００２０】
本体部７ａのかしめ固定は、かしめ部２４の内面２４ａと押さえ側固定部２２の外面２２ｂとの間に外部導体１３を挟み込んだ状態で行う。すなわち、ケーブル７の先端部の被覆１４を剥がすことにより露出した外部導体１３の一部を本体部７ａから離間させ、かしめ部２４と押さえ側固定部２２との間に挟み込んだ状態でかしめ固定を行う。
これによって、かしめ部２４と押さえ側固定部２２の間に外部導体１３を強固に固定し、かしめ部２４および押さえ側固定部２２と、外部導体１３との間に十分な電気的接続を確保できる。
これは、次の理由による。
図５に示すように、本体部７ａがかしめ固定された状態では、支持突起２５によって押さえ側固定部２２の下方移動が規制されているため、かしめ部２４による押圧力が外部導体１３に確実に作用し、接触圧が損なわれない。このため、かしめ部２４および押さえ側固定部２２と、外部導体１３との間に十分な電気的接続が得られる。
【００２１】
十分な電気的接続が確保できるため半田付けは不要である。また、図１３に示す固定構造９１に用いられているスリーブ９２等の別部品も必要もない。
このため、ケーブル７の固定のための構造が簡単であることから、組み立て作業が容易であり、しかも低コスト化を図ることができる。
【００２２】
図６に示すように、かしめ部２４の内面２４ａには凹凸部２８を形成することができる。凹凸部２８は、内面２４ａに形成された凹部、凸部またはその両方である。
図７に示すように、押さえ側固定部２２の外面２２ｂにも、凹凸部２８を形成することができる。
かしめ部２４の内面２４ａおよび押さえ側固定部２２の外面２２ｂに凹凸部２８を形成することによって、外部導体１３との接触面積を大きくでき、外部導体１３との電気的接続の確実性を高めることができる。
なお、凹凸部２８は、かしめ部２４の内面２４ａおよび押さえ側固定部２２の外面２２ｂのいずれか一方に形成してもよい。
【００２３】
図８は、ケーブル固定部６の変形例を示すもので、このケーブル固定部６では、押さえ側固定部２２に、本体部７ａを固定した状態（図５参照）において外部導体１３を外方に付勢する押圧片２９が形成されている。
押圧片２９は、弾性変形可能な舌片状に形成され、押さえ側固定部２２を構成する金属板の一部を外方に曲げることで形成することができる。
押圧片２９は、かしめ部２４との間で外部導体１３に対する接触圧を高め、電気的接続の確実性を高めることができる。
【符号の説明】
【００２４】
１・・・電気コネクタ、２・・・端子、３・・・ハウジング、４・・・ハウジングカバー、５・・・ラッチ部材、６・・・ケーブル固定部、７・・・ケーブル、７ａ・・・本体部（ケーブル本体部）、１１・・・内部導体、１２・・・絶縁体、１３・・・外部導体、２１・・・受け側固定部、２２・・・押さえ側固定部、２３・・・ケーブル受け部、２４・・・かしめ部、２５・・・支持突起、２６・・・一端側かしめ片、２７・・・他端側かしめ片、２８・・・凹凸部、２９・・・押圧片。
【図１】
2010176960.tif 000003
【図２】
2010176960.tif 000004
【図３】
2010176960.tif 000005
【図４】
2010176960.tif 000006
【図５】
2010176960.tif 000007
【図６】
2010176960.tif 000008
【図７】
2010176960.tif 000009
【図８】
2010176960.tif 000010
【図９】
2010176960.tif 000011
【図１０】
2010176960.tif 000012
【図１１】
2010176960.tif 000013
【図１２】
2010176960.tif 000014
【図１３】
2010176960.tif 000015
【図１４】
2010176960.tif 000016
【図１５】
2010176960.tif 000017
【図１６】
2010176960.tif 000018
【図１７】
2010176960.tif 000019
【図１８】
2010176960.tif 000020